(57)【要約】【課題】作業性を良好にできる顕微鏡を提供すること。【解決手段】顕微鏡１は、ベース２と、ベース２の上面に設けられ、被測定物が載置されるテーブル３と、ベース２の後部から上方に延びるコラム４と、コラム４に設けられて被測定物の上方に配置される観察光学系５２とを備えている。コラム４は、テーブル３の前後方向軸線Ａ１と平行な回転中心線Ａ２を中心として回動可能に設けられており、回転中心線Ａ２は、テーブル３より下方にある。このような構成によれば、コラム４の回転中心線Ａ２がテーブル３より下方に設定されているので、コラム４を回動させるための操作部６を、テーブル３と等しい高さ位置など、低い位置に設けることができる。そのため、操作部６を操作する際に被測定物に手が衝突しにくい作業性の良好な顕微鏡１とすることができる。【選択図】図３
2010014859.tif 000002
【特許請求の範囲】
【請求項１】
ベースと、前記ベースの上面に設けられ、被測定物が載置されるテーブルと、前記ベースの後部から上方に延びるコラムと、前記コラムに設けられて前記被測定物の上方に配置される観察光学系とを備えた顕微鏡であって、
前記コラムは、前記テーブルの前後方向軸線と平行な回転中心線を中心として回動可能に設けられ、
前記回転中心線は、前記テーブルより下方にある
ことを特徴とする顕微鏡。
【請求項２】
請求項１に記載の顕微鏡において、
前記コラムは、前記ベースより上方に延びるコラム本体と、前記コラム本体と一体、かつ、前記ベースに回動自在に保持され、中心線が前記回転中心線となる回動軸とを備え、
前記テーブルの下方には、前記回動軸と連動して回動し、前記観察光学系の観察光軸と一致する方向に沿って光を射出し、前記被測定物を照明する透過照明光学系が設けられている
ことを特徴とする顕微鏡。
【請求項３】
請求項２に記載の顕微鏡において、
前記回動軸は、中空に形成され、
前記透過照明光学系は、
前記回動軸の後端側に設けられ、前記回転中心線に沿って光を射出する照明装置と、
前記回動軸の前方に設けられ、前記照明装置から射出された光を、前記テーブルの下方より、前記観察光軸と一致する方向に沿って反射させるミラーと、
前記回動軸に接続され、前記ミラーを前記回転中心線上に保持するとともに、前記ミラーを、前記回動軸と連動して前記回転中心線を中心に回動させるアームとを備える
ことを特徴とする顕微鏡。
【請求項４】
請求項１から請求項３のいずれかに記載の顕微鏡において、
前記コラムを回動させる操作部と、
前記コラムの傾斜角度を示す目盛とを備える
ことを特徴とする顕微鏡。
【請求項５】
請求項１から請求項４のいずれかに記載の顕微鏡において、
前記コラムの回動面に沿って前記コラムの両側にそれぞれ設けられたクランプ体と、
前記クランプ体を介して前記コラムを挟持することにより、前記コラムの傾斜状態を保持する保持部とを備える
ことを特徴とする顕微鏡。
【発明の詳細な説明】
【技術分野】
【０００１】
本発明は、顕微鏡に関する。
【背景技術】
【０００２】
従来、ベースと、ベースの上面に設けられ、被測定物が載置されるテーブルと、ベースの後部から上方に延びるコラムと、コラムに設けられて被測定物の上方に配置される観察光学系とを備えた顕微鏡が知られている。このような顕微鏡では、テーブル上面に対して傾斜する面（被測定面）を測定する場合、各被測定面ごとに、当該被測定面がテーブル上面と平行となるように、当該被測定面に対応した保持具によって被測定物を傾けなければならず、保持具の交換が煩雑であるという問題があった。
【０００３】
このような問題に対し、コラムが回動可能に設けられた顕微鏡が知られている（例えば、特許文献１参照）。この特許文献１に記載の顕微鏡では、被測定面の傾斜角度と等しい傾斜角度にコラムを傾けることで、容易に被測定面を測定でき、保持具の交換を不要にできる。
【０００４】
【特許文献１】特開２００６−２０１６１０号公報
【発明の開示】
【発明が解決しようとする課題】
【０００５】
しかしながら、特許文献１に記載の顕微鏡では、コラムの回動中心がテーブルより上方にあるので、コラムを操作ハンドルにより手動で回動させる構成とした場合、操作ハンドルが構造上テーブルより上方に設けられることとなり、操作ハンドルを回動させる際に被測定物に手が衝突しやすいなど、作業性が悪いという問題がある。
【０００６】
本発明の目的は、作業性を良好にできる顕微鏡を提供することにある。
【課題を解決するための手段】
【０００７】
本発明の顕微鏡は、ベースと、前記ベースの上面に設けられ、被測定物が載置されるテーブルと、前記ベースの後部から上方に延びるコラムと、前記コラムに設けられて前記被測定物の上方に配置される観察光学系とを備えた顕微鏡であって、前記コラムは、前記テーブルの前後方向軸線と平行な回転中心線を中心として回動可能に設けられ、前記回転中心線は、前記テーブルより下方にあることを特徴とする。
【０００８】
このような構成によれば、コラムの回転中心線がテーブルより下方にあるので、コラムを回動させるための操作ハンドルを、テーブルと等しい高さ位置など、低い位置に設けることができる。例えば、コラムに、コラムと一体、かつ回動自在に保持される軸（テーブルより下方にある回転中心線）を有するウォームホイールを設け、このウォームホイールの上方に、ウォームおよび一端に操作ハンドルが取り付けられた回動軸を設け、回動軸を操作ハンドルにより回動させることで、ウォームホイールおよびコラムを回動させる構成とした場合、操作ハンドルは、テーブルより下方にあるウォームホイールの軸より僅かに上方、すなわちテーブルと略等しい高さ位置に設けられることとなる。そのため、操作ハンドルを回動させる際に被測定物に手が衝突しにくい作業性の良好な顕微鏡とすることができる。
【０００９】
本発明では、前記コラムは、前記ベースより上方に延びるコラム本体と、前記コラム本体と一体、かつ、前記ベースに回動自在に保持され、中心線が前記回転中心線となる回動軸とを備え、前記テーブルの下方には、前記回動軸と連動して回動し、前記観察光学系の観察光軸と一致する方向に沿って光を射出し、前記被測定物を照明する透過照明光学系が設けられていることが好ましい。
【００１０】
このような構成によれば、透過照明光学系が、コラム本体の回動軸と連動して回動し、観察光学系の観察光軸と一致する方向に沿って光を射出するので、コラム本体を回動させた際に、透過照明光学系の光軸を調整することを不要にでき、利便性を向上できる。
【００１１】
本発明では、前記回動軸は、中空に形成され、前記透過照明光学系は、前記回動軸の後端側に設けられ、前記回転中心線に沿って光を射出する照明装置と、前記回動軸の前方に設けられ、前記照明装置から射出された光を、前記テーブルの下方より、前記観察光軸と一致する方向に沿って反射させるミラーと、前記回動軸に接続され、前記ミラーを前記回転中心線上に保持するとともに、前記ミラーを、前記回動軸と連動して前記回転中心線を中心に回動させるアームとを備えることが好ましい。
【００１２】
このような構成によれば、照明装置から、中空に形成された回動軸内に配置される回転中心線に沿って光を射出し、当該光を、回動軸と連動して回動するミラーによって反射させるので、確実に観察光学系の観察光軸と一致する方向に沿って光を射出することができる。
【００１３】
本発明では、前記コラムを回動させる操作部と、前記コラムの傾斜角度を示す目盛とを備える  ことが好ましい。
このような構成によれば、コラムを回動させる操作部と、コラムの傾斜角度を示す目盛とを備えるので、目盛によりコラムの傾斜角度を読み取りながら、操作部によってコラムを回動させることができ、利便性を向上できる。
【００１４】
本発明では、前記コラムの回動面に沿って前記コラムの両側にそれぞれ設けられたクランプ体と、前記クランプ体を介して前記コラムを挟持することにより、前記コラムの傾斜状態を保持する保持部とを備えることが好ましい。
このような構成によれば、保持部により、クランプ体を介してコラムを挟持することができるので、コラムの傾斜状態を確実に保持することができる。
【発明を実施するための最良の形態】
【００１５】
以下、本発明の一実施形態を図面に基づいて説明する。
〔全体構成〕
図１は、本実施形態に係る顕微鏡１を示す正面図、図２は、顕微鏡１を示す側面図である。なお、以下、左右上下方向を図１における左右上下方向とし、後方を図１の紙面奥側および図２の右側、前方を図１の紙面手前側および図２の左側とする。
顕微鏡１は、図１および図２に示すように、ベース２と、ベース２の上面に設けられ、被測定物が載置されるテーブル３と、ベース２の後部から上方に延び回動可能に設けられたコラム４と、コラム４にスライド移動可能に設けられたスライダー５と、コラム４を回動させる操作部６と、コラム４の回動状態を確実に保持するための保持部７とを備えている。
【００１６】
〔ベースおよびテーブルの構成〕
ベース２は、ベース本体２１と、ベース本体２１内に設けられ、詳しくは後述するが、被測定物を下方から照明する透過照明光学系２２（図３参照）とを備えている。
テーブル３は、ベース本体２１に対して左右方向に移動可能に設けられた第１テーブル３１と、第１テーブル３１に対して前後方向に移動可能に設けられるとともに被測定物が載置される第２テーブル３２とを備えている。この第２テーブル３２の移動方向の軸線が前後方向軸線Ａ１となる。
【００１７】
〔スライダーの構成〕
スライダー５は、コラム４にスライド移動可能に設けられたスライダー本体５１と、被測定物を観察するための観察光学系５２とを備えている。
【００１８】
〔観察光学系の構成〕
図３は、顕微鏡１の内部を一部破断して示す側面図である。
観察光学系５２は、図３に示すように、第１照明装置５２１、第１ミラー５２２、第１ハーフミラー５２３、対物レンズ５２４、第２ハーフミラー５２５、第２ミラー５２６、および接眼レンズ５２７を備えている。この観察光学系５２は、透光性を有しない被測定物に対しては、第１照明装置５２１からの光を利用して当該被測定物を観察することができるようになっており、透光性を有する被測定物に対しては、透過照明光学系２２からの光を利用して当該被測定物を観察することができるようになっている。
【００１９】
具体的に、第１照明装置５２１から射出された光は、第１ミラー５２２および第１ハーフミラー５２３で反射された後、対物レンズ５２４を介して被測定物に照射される。そして、第１照明装置５２１から射出されて被測定物で反射した光、および後述する透過照明光学系２２から射出されて被測定物を透過した光は、対物レンズ５２４および第１ハーフミラー５２３を透過し、第２ハーフミラー５２５および第２ミラー５２６にて反射された後、接眼レンズ５２７で拡大されて結像する。
【００２０】
なお、観察光学系５２の光軸である観察光軸Ｌ１は、これら各部材５２１〜５２７を透過する光の中心軸となっている。また、スライダー本体５１には、ＣＣＤ（Charge Coupled Device）カメラ等の撮像手段を取り付けるための取付部５１１が形成されている。この取付部５１１にＣＣＤカメラ等の撮像手段を取り付けることで、当該撮像手段により、ハーフミラー５２５を透過した光を受光して、被測定物の像を撮像することができる。
【００２１】
〔コラムの構成〕
図４は、顕微鏡１を示す背面図である。
コラム４は、テーブル３の前後方向軸線Ａ１と平行で、テーブル３より下方にある回転中心線Ａ２を中心に回動可能に設けられている。このコラム４は、図３および図４に示すように、コラム本体４１と、ウォームホイール４２と、回動軸４３とを備えている。
【００２２】
コラム本体４１は、ベース２より上方に延びている。このコラム本体４１の両側面には、回転中心線Ａ２を中心とした周方向に湾曲したクランプ体としてのクランプリング４４が取り付けられている。クランプリング４４には、外周縁に沿って、前方へ傾斜するリング側傾斜面４４１が形成されている（図５参照）。
ウォームホイール４２は、コラム本体４１の下部にコラム本体４１と一体に設けられている。このウォームホイール４２は、略矩形に形成され、上面に歯が形成されている。ウォームホイール４２は、操作部６のウォーム６３と噛合する。
【００２３】
回動軸４３は、中空円筒状に形成されている。この回動軸４３は、図３および図４に示すように、ウォームホイール４２およびコラム本体４１を挿通し、キー４５および図示しないボルトにより、ウォームホイール４２およびコラム本体４１と一体に設けられている。このような回動軸４３は、ベース本体２１内部に設けられたベアリング２３により回動自在に保持されており、操作部６の操作によりウォーム６３が回転すると、ウォーム６３からの回転力がウォームホイール４２を介して当該回動軸４３に伝達されることにより回動する。このようにして回動軸４３が回動することにより、この回動軸４３と一体に設けられたコラム本体４１が、当該回動軸４３の中心線Ａ２（回転中心線Ａ２）を中心に回動することとなる。なお、ウォームホイール４２側からはウォーム６３を回転させ難いため、本実施形態では、後述する保持部７が無くても、コラム本体４１の傾斜状態を保持することが可能となっている。
【００２４】
このような回動軸４３の先端部分にはピン４３１が立設されている。また、前記ベアリング２３には、当該ベアリング２３の周方向に沿って孔２３１（図５参照）が形成されており、ピン４３１は、このベアリング２３に形成された孔２３１を介して下方に突出している。このピン４３１の先端には、一端がベース本体２１側に連結されたばね２４（図５参照）の他端が連結されている。また、回動軸４３に接続された後述するアーム本体２２２１の背面に設けられたピン２２２４（図５参照）にも、一端がベース本体２１側に連結されたばね２５（図５参照）の他端が連結されており、これらのばね２４，２５は、回動軸４３を右回りまたは左回り側に付勢し、ウォーム６３を回転させる際のバックラッシュを防止する。
回動軸４３には、透過照明光学系２２が取り付けられている。
【００２５】
〔透過照明光学系の構成〕
透過照明光学系２２は、透光性を有する被測定物に対してテーブル３の下方から照明光を照射するためのものである。この透過照明光学系２２は、図３に示すように、第２照明装置２２１と、アーム２２２と、ミラー２２３と、レンズ２２４とを備えている。
第２照明装置２２１は、回動軸４３の後端に設けられ、回動軸４３の先端側へ向かって、回転中心線Ａ２に沿って光を射出する。
【００２６】
アーム２２２は、ミラー２２３を回動軸４３の回転中心線Ａ２上に保持し、当該ミラー２２３を回動軸４３と連動して回転中心線Ａ２を中心に回動させるとともに、レンズ２２４を保持し、当該レンズ２２４を回転中心線Ａ２を中心に回動させる。このアーム２２２は、アーム本体２２２１と、取付ブラケット２２２２と、ミラー台２２２３と、レンズブラケット２２２５と、前述のピン２２２４とを備え、断面視Ｕ字状に形成されている。
【００２７】
アーム本体２２２１は、一端が回動軸４３の先端に接続され、回動軸４３の径方向に沿って延設されている。
取付ブラケット２２２２は、アーム本体２２２１の他端から前方へ向かって延設されている。
ミラー台２２２３は、取付ブラケット２２２２の先端に取り付けられ、ミラー２２３を回転中心線Ａ２上に当該回転中心線Ａ２に対して４５度傾けて保持する。
レンズブラケット２２２５は、断面視Ｌ字状に形成され、下端がミラー台２２２３の背面（前面）に取り付けられているとともに、レンズ２２４をミラー２２３と対向するように保持する。
【００２８】
ミラー２２３は、前述のアーム２２２により、回転中心線Ａ２上に当該回転中心線Ａ２に対して４５度傾けられて保持され、回動軸４３と連動して回転中心線Ａ２を中心に回動し、第２照明装置２２１から射出された光を上方へ９０度方向を変えて反射する、すなわち、第２照明装置２２１から射出された光を、回転中心線Ａ２の径方向、かつ、鉛直方向から回動軸４３の回動分だけ傾斜させた方向に反射する。
レンズ２２４は、前述のアーム２２２により、回動軸４３と連動して回転中心線Ａ２を中心に回動し、ミラー２２３からの光を、テーブル３を介して被測定物に照射する。
【００２９】
ここで、回動軸４３が回動し、コラム４が回動した際には、コラム４にスライダー５を介して取り付けられた観察光学系５２も回動し、観察光学系５２の観察光軸Ｌ１も、鉛直方向から回動軸４３の回動分だけ傾斜するので、当該観察光軸Ｌ１と、ミラー２２３による反射光の光軸Ｌ２（透過照明光軸Ｌ２）とが一致することとなる。このように、本実施形態では、コラム４を回動させた際に、ミラー２２３およびレンズ２２４が連動して回動し、ミラー２２３が、第２照明装置２２１から射出された光を、当該光の光軸Ｌ２が観察光軸Ｌ１と一致する方向に向けて反射するとともに、レンズ２２４が、ミラー２２３からの光をテーブル３を介して被測定物に照射するので、コラム４を回動させた際に透過照明光学系２２の光軸Ｌ２を調整することを不要にでき、利便性を向上できる。
【００３０】
〔操作部の構成〕
操作部６は、コラム４を手動で回動させるためのものである。この操作部６は、図４に示すように、ベース本体２１の背面に設けられた一対の軸保持部６１と、この軸保持部６１に回転自在に保持された回転軸６２と、回転軸６２に取り付けられ、前記ウォームホイール４２と噛合してコラム４を回動させるウォーム６３と、回転軸６２の一端に設けられて回転軸６２を回転させる操作ハンドル６４と、目盛部６５とを備えている。
【００３１】
目盛部６５は、軸保持部６１に固定され、外周面に基準線（図１）が形成された第１部材６５１と、回転軸６２に取り付けられ、外周面にコラム４の回動角度を示す目盛（図１）が形成された第２部材６５２とを備える。操作ハンドル６４を回し、コラム４を回動させた際には、コラム４と連動して回動する第２部材６５２に形成された目盛と、固定された第１部材６５１に形成された基準線とから、コラム４の回動角度を読み取ることができる。
【００３２】
ここで、本実施形態では、コラム４の回転中心線Ａ２がテーブル３より下方に設定され、これによりウォームホイール４２の歯がテーブル３と略等しい高さ位置に設けられているので、ウォームホイール４２を回動させるための操作部６が、テーブル３と略等しい高さ位置に設けられている。そのため、操作ハンドル６４を回動させる際に被測定物に手が衝突しにくい作業性の良好な顕微鏡１とすることができる。
【００３３】
〔保持部の構成〕
図５は、保持部７を示す下面図である。
保持部７は、コラム４の傾斜状態を確実に保持するためのものである。この保持部７は、図４および図５に示すように、コラム４の両側にそれぞれ設けられた一対の保持部本体７０を備える。保持部本体７０は、保持体７１と、ロッド７２と、ばね７３と、クランプレバー７４とを備える。
【００３４】
保持体７１は、ベース本体２１の背面に設けられており、外方側の面には、ねじ孔７１１が形成されている。
ロッド７２は、保持体７１に、左右方向にスライド移動可能に保持されている。このロッド７２の先端には、クランプリング４４のリング側傾斜面４４１に当接されるロッド側傾斜面７２１が形成されている。
ばね７３は、保持体７１内に収納され、ロッド７２を外方側へ付勢する。
【００３５】
クランプレバー７４は、ねじ孔７１１に螺合しており、回転することでその軸方向に沿って進退可能に設けられている。本実施形態では、各クランプレバー７４を回転させて各ロッド７２を各クランプリング４４に押し付け、当該各ロッド７２にコラム４を挟持させることで、コラム４の傾斜状態を確実に保持することができるようになっている。
【００３６】
〔本実施形態の効果〕
以上のような本実施形態によれば、以下の効果を奏することができる。
コラム４の回転中心線Ａ２がテーブル３より下方に設定され、これによりウォームホイール４２の歯がテーブル３と同様の高さ位置に設けられているので、ウォームホイール４２を回動させるための操作部６が、テーブル３と等しい高さ位置に設けられている。そのため、操作ハンドル６４を回動させる際に被測定物に手が衝突しにくい作業性の良好な顕微鏡１とすることができる。
【００３７】
透過照明光学系２２が、コラム本体４１の回動軸４３と連動して回転中心線Ａ２を中心に回動（搖動）し、観察光学系５２の観察光軸Ｌ１と一致する方向に沿って光を射出するので、コラム本体４１を回動させた際に、透過照明光学系２２の光軸Ｌ２を調整することを不要にでき、利便性を向上できる。
【００３８】
第２照明装置２２１から、中空に形成された回動軸４３内に配置される回転中心線Ａ２に沿って光を射出し、当該光を、回動軸４３と連動して回動するミラー２２３によって反射させるので、確実に観察光学系５２の観察光軸Ｌ１と一致する方向に沿って光を射出することができる。
【００３９】
コラム４を回動させる操作部６と、コラム４の傾斜角度を示す目盛とを備えるので、目盛によりコラム４の傾斜角度を読み取りながら、操作部６によってコラム４を回動させることができ、利便性を向上できる。
【００４０】
保持部７により、クランプリング４４を介してコラム４を挟持することができるので、コラム４の傾斜状態を確実に保持することができる。
【００４１】
〔実施形態の変形〕
なお、本発明は前述の実施形態に限定されるものではなく、本発明の目的を達成できる範囲での変形、改良等は本発明に含まれるものである。
例えば前記実施形態では、コラム本体４１は、回動軸４３と一体に回転していたが、コラム本体は、回動軸と別体に設けられ、回動軸周りを回転するように構成されていてもよい。
【００４２】
前記実施形態では、回動軸４３を中空円筒状に形成し、照明装置２２１から射出された光を回動軸４３内に通す構成とした。しかしながら、回動軸を中実に形成し、アームに、照明装置を、例えばミラー台２２２３の位置において鉛直に光を射出する姿勢で保持させ、照明装置からの光を、回動軸内を通過させずに直接テーブル３を介して被測定物に向けて照射するように顕微鏡を構成してもよい。
前記実施形態では、観察光学系５２は、対物レンズ５２４単独で像を有限な位置に作る有限補正光学系に構成されていたが、観察光学系は、対物レンズと結像レンズとを用いて像を作る無限遠補正光学系に構成されていてもよい。
【産業上の利用可能性】
【００４３】
本発明は、顕微鏡に利用できる。
【図面の簡単な説明】
【００４４】
【図１】本発明の第１実施形態に係る顕微鏡を示す正面図。
【図２】顕微鏡を示す側面図。
【図３】顕微鏡の内部を一部破断して示す側面図。
【図４】顕微鏡を示す背面図。
【図５】保持部を示す下面図。
【符号の説明】
【００４５】
１…顕微鏡、２…ベース、３…テーブル、４…コラム、６…操作部、７…保持部、２２…透過照明光学系、４１…コラム本体、４３…回動軸、４４…クランプリング（クランプ体）、５２…観察光学系、２２１…第２照明装置（照明装置）、２２２…アーム、２２３…ミラー、Ａ１…前後方向軸線、Ａ２…回転中心線、Ｌ１…観察光軸。
【図１】
2010014859.tif 000003
【図２】
2010014859.tif 000004
【図３】
2010014859.tif 000005
【図４】
2010014859.tif 000006
【図５】
2010014859.tif 000007